(57)【特許請求の範囲】
【請求項１】
同一放送の受信信号に対する処理を並列に実行可能な複数のチューナを備える受信機の異常診断装置であって、
各チューナにおける受信信号に対する処理過程で生成される第１の信号の品質情報と、前記第１の信号から生成される第２の信号の品質情報とをそれぞれ取得する取得手段と、
前記取得された各品質情報で示される品質を比較する比較手段と、
前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する判定手段と
を含む受信機の異常診断装置。
【請求項２】
チューナの異常と判定した場合に、この判定に使用した差分値の元となる各品質情報と、各品質情報に対応するチューナの識別情報とを記憶手段に格納する手段をさらに含む
請求項１に記載の受信機の異常診断装置。
【請求項３】
同一放送の受信信号に対する処理を並列に実行可能な複数のチューナと、
各チューナにおける受信信号に対する処理過程で生成される第１の信号の品質情報と、前記第１の信号から生成される第２の信号の品質情報とをそれぞれ取得する取得手段、前記取得された各品質情報で示される品質を比較する比較手段、及び前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する判定手段を含む異常診断手段と、
を含む受信機。
【請求項４】
前記各チューナは、複数のアンテナでそれぞれ受信された受信信号が対応する各チューナに入力される第１の状態と、前記複数のアンテナの一つで受信された受信信号が各チューナに入力される第２の状態との間で切替動作を行う切替手段を介して、前記複数のアンテナに接続されている
請求項３記載の受信機。
【請求項５】
同一放送の受信信号に対する処理を並列に実行可能な複数のチューナを備える受信機について、
各チューナにおける受信信号に対する処理過程で生成される第１の信号の品質情報と、前記第１の信号から生成される第２の信号の品質情報とをそれぞれ取得し、
前記取得された各品質情報で示される品質を比較し、
前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する
ことを含む受信機の異常診断方法。
【請求項６】
同一放送の受信信号に対する処理を並列に実行可能な複数のチューナを備える受信機について、
情報処理装置に、
各チューナにおける受信信号に対する処理過程で生成される第１の信号の品質情報と、前記第１の信号から生成される第２の信号の品質情報とをそれぞれ取得するステップと、
前記取得された各品質情報で示される品質を比較するステップと、
前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定するステップと
を実行させるプログラム。
【発明の詳細な説明】
【技術分野】
【０００１】
本発明は、ラジオやテレビジョン放送の受信機の異常診断装置、受信機、受信機の異常診断方法、および、プログラムに関する。
【背景技術】
【０００２】
従来、ＡＭ／ＦＭラジオやテレビジョン放送の受信機は、一般に、１つのチューナを有していた。図７は、従来技術におけるチューナのブロック図である。図７において、アンテナ２５で受信された信号は、RF（Radio Frequency）部２６に入力される。RF部２６は
、受信信号の同調を行い、同調された信号をMixer部２７に入力する。PLL(Phase Lock Loop)部２９およびVco（Voltage Controlled Oscillator）部２８は、局部発信信号を生成
し、Mixer部２７に入力する。Mixer部２７は、RF部２６からの信号に対してVco部２８か
らの局部発信信号を用いて、これらの信号の周波数の差を持つ中間周波数の信号を生成し、IF（Intermediate Frequency）部３０に入力する。IF部３０は、入力された信号を増幅して検波部３１に入力する。検波部３１は、入力された信号をオーディオ信号に復調し、このシステムに接続する装置に出力する。
【０００３】
また、近年、より高品質の音声や映像の通信要求のため、複数のチューナが備えられた受信機が提案され、検討されている。本発明に係る先行技術文献としては、次に示すものがある。
【特許文献１】特開平８−５１３９０号公報
【特許文献２】特開２０００−３４１１６０号公報
【発明の開示】
【発明が解決しようとする課題】
【０００４】
図７で示した従来技術におけるチューナでは、チューナの異常（故障）診断を行っていない。ただし、例えば、IF部３０からの信号の強度（レベル）をシグナルメータで測定し、その測定値が所定の範囲内に収まるか否かでチューナの故障を診断することが考えられる。
【０００５】
しかしながら、IF部３０からの信号の強度が所定の範囲内に収まらない場合に、その原因が電波環境によるものか、チューナの故障によるものかの判断が困難であると考えられる。
【０００６】
本発明は、このような問題点に鑑みてなされたものである。すなわち、本発明の目的は、複数のチューナを持つ受信機について、チューナの異常を検出することが可能な技術を提供することである。
【課題を解決するための手段】
【０００７】
上記課題を解決するために、本発明は以下の構成を採用した。
【０００８】
（１）すなわち、本願発明による受信機の異常診断装置は、同一放送の受信信号に対する処理を並列に実行可能な複数のチューナを備える受信機の異常診断装置であって、各チューナにおける受信信号に対する処理過程で生成される信号から得られる受信信号の品質情報をそれぞれ取得する取得手段と、前記取得された各品質情報で示される品質を比較する比較手段と、前記品質の比較結果に基づき、チューナに異常が生じていると判定する判定手段とを含む。
【０００９】
この構成によれば、この受信機の異常診断装置は、同一放送の受信信号に対する処理を並列に実行可能な複数のチューナを備える。加えて、この受信機の異常診断装置は、各チューナにおける受信信号に対する処理過程で生成される信号から得られる受信信号の品質情報をそれぞれ取得し、取得された各品質情報で示される品質を比較し、この品質の比較結果に基づいて、チューナに異常が生じていると判定する。このことにより、この受信機の異常診断装置は、チューナに異常が生じていることを検出することができる。
【００１０】
（２）また、本願発明による受信機の異常診断装置に係る前記判定手段は、所定の許容値を超える品質の差分が得られたときに、この差分を得るのに用いた品質情報のうち、品質が低い方の品質情報に対応するチューナに異常が生じていると判定してもよい。
【００１１】
この構成によれば、この受信機の異常診断装置は、各チューナにおける受信信号に対する処理過程で生成される信号から得られる受信信号の品質情報をそれぞれ取得し、取得された各品質情報で示される品質を比較し、この品質の比較において、所定の許容範囲を超える品質の差分が得られたときに、この差分を得るのに用いた品質情報のうち、品質が低い方の品質情報に対応するチューナに異常が生じていると判定する。このことにより、この受信機の異常診断装置は、複数のチューナのうち、異常が生じたチューナを特定することができる。
【００１２】
（３）また、本願発明による受信機の異常診断装置に係る前記取得手段は、前記各チューナにおいて、前記受信信号から生成される第１の信号の品質情報と、前記第１の信号から生成される第２の信号の品質情報とを取得し、前記判定手段が、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する。
【００１３】
この構成によれば、この受信機の異常診断装置は、各チューナにおける受信信号に対する処理過程で生成される信号から得られる受信信号の品質情報をそれぞれ取得する取得手段として、チューナにおいて、受信信号から生成される第１の信号の品質情報と、第１の信号から生成される第２の信号の品質情報とを取得し、チューナの異常の判定として、第１の信号の品質情報に基づく差分が所定の許容範囲を超える場合に、チューナにおける第２の信号の生成又は処理過程で異常が生じていると判定することができる。すなわち、異常がチューナのどの部分で生じているのかを特定することが可能となる。
【００１４】
（４）また、本願発明による受信機の異常診断装置は、チューナの異常と判定した場合に、この判定に使用した差分値の元となる各品質情報と、各品質情報に対応するチューナの識別情報とを記憶手段に格納する手段をさらに含む。
【００１５】
この構成によれば、この受信機の異常診断装置は、チューナの異常と判定した場合に、この判定に使用した差分値の元となる各品質情報と、各品質情報に対応するチューナの識別情報とを記憶手段に格納することができる。このことにより、記憶手段に格納された情報を解析することによって、チューナの異常原因の解明を図ることができる。
【００１６】
（５）また、本願発明による受信機は、同一放送の受信信号に対する処理を並列に実行可能な複数のチューナと、各チューナにおける受信信号に対する処理過程で生成される第１の信号の品質情報と、前記第１の信号から生成される第２の信号の品質情報とをそれぞれ取得する取得手段、前記取得された各品質情報で示される品質を比較する比較手段、及び前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する判定手段とを含む異常診断手段とを含む。
【００１７】
この構成によれば、この受信機は、同一放送の受信信号に対する処理を並列に実行可能な複数のチューナを備える。加えて、この受信機は、各チューナにおける受信信号に対する処理過程で生成される第１の信号の品質情報と、前記第１の信号から生成される第２の信号の品質情報とをそれぞれ取得し、取得された各品質情報で示される品質を比較し、この品質の比較結果に基づいて、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する。このことにより、この受信機は、チューナに異常が生じていることを検出することができる。そして、異常がチューナのどの部分で生じているのかを特定することが可能となる。
【００１８】
（６）また、本願発明による受信機は、前記各チューナが、複数のアンテナでそれぞれ受信された受信信号が対応する各チューナに入力される第１の状態と、前記複数のアンテナの一つで受信された受信信号が各チューナに入力される第２の状態との間で切替動作を行う切替手段を介して、前記複数のアンテナに接続されていてもよい。
【００１９】
この構成によれば、この受信機は、各チューナが、複数のアンテナでそれぞれ受信された受信信号が対応する各チューナに入力される第１の状態と、複数のアンテナの一つで受信された受信信号が各チューナに入力される第２の状態との間で切替動作を行う切替手段を介して、複数のアンテナに接続されることにより、ダイバーシティ構成を持つ受信機について、異常診断を行うことができる。
【００２０】
（７）また、本願発明による受信機の異常診断方法は、同一放送の受信信号に対する処理を並列に実行可能な複数のチューナを備える受信機について、各チューナにおける受信信号に対する処理過程で生成される第１の信号の品質情報と、前記第１の信号から生成される第２の信号の品質情報とをそれぞれ取得し、前記得られた各品質情報で示される品質を比較し、前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定することを含む。
【００２１】
この構成によれば、この受信機の異常診断方法は、同一放送の受信信号に対する処理を並列に実行可能な複数のチューナを備える受信機に対する方法である。加えて、この受信機の異常診断方法は、各チューナにおける受信信号に対する処理過程で生成される第１の信号の品質情報と、前記第１の信号から生成される第２の信号の品質情報とをそれぞれ取得し、取得された各品質情報で示される品質を比較し、この品質の比較結果に基づいて、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する。このことにより、この受信機の
異常診断方法は、チューナに異常が生じていることを検出することができる。そして、異常がチューナのどの部分で生じているのかを特定することが可能となる。
【００２２】
（８）また、本願発明によるプログラムは、同一放送の受信信号に対する処理を並列に実行可能な複数のチューナを備える受信機について、情報処理装置に、各チューナにおける受信信号に対する処理過程で生成される第１の信号の品質情報と、前記第１の信号から生成される第２の信号の品質情報とをそれぞれ取得するステップと、前記取得された各品質情報で示される品質を比較するステップと、前記品質の比較結果に基づき、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定するステップとを実行させる。
【００２３】
この構成によれば、このプログラムは、同一放送の受信信号に対する処理を並列に実行可能な複数のチューナを備える受信機の情報処理装置で実行される。加えて、このプログラムは、各チューナにおける受信信号に対する処理過程で生成される第１の信号の品質情報と、前記第１の信号から生成される第２の信号の品質情報とをそれぞれ取得し、取得された各品質情報で示される品質を比較し、この品質の比較結果に基づいて、前記第１の信号の品質情報に基づく差分が所定の許容範囲を超える場合に、前記チューナにおける第１の信号の生成又は処理過程に至るまでの過程で異常が生じていると判定し、前記第１の信号の品質情報に基づく差分が所定の許容範囲を超えないが、前記第２の信号の品質情報に基づく差分が所定の許容範囲を超える場合に、前記チューナにおける第２の信号の生成又は処理過程で異常が生じていると判定する。このことにより、このプログラムは、チューナに異常が生じていることを検出することができる。そして、異常がチューナのどの部分で生じているのかを特定することが可能となる。
【発明の効果】
【００２４】
本発明によれば、複数のチューナを持つ受信機について、チューナの異常を検出するこ
とができる。
【発明を実施するための最良の形態】
【００２５】
以下、図面を参照して、本発明の実施形態を説明する。以下の実施形態の構成は例示であり、本発明は実施形態の構成に限定されない。
【００２６】
《第１実施形態》
図１は、本発明の第１実施形態に係る受信機の構成例を示すブロック図である。図１において、受信機１００は、同一の構成を持つ複数のチューナ１０１及び１０２と、受信機１００の異常診断装置としての異常診断モジュール１０３とを備えている。
【００２７】
〈チューナ〉
チューナ１０１は、アンテナ１Ａに接続されたRF部２Ａと、RF部２Ａに接続されたMixer部３Ａと、Mixer部３Ａに接続されたVco部６Ａと、Vco部６Ａに接続されたPLL部７Ａと
、Mixer部３Ａに接続されたIF部４Ａと、IF部４Ａに接続された検波部５Ａとを備えてい
る。
【００２８】
チューナ１０２は、アンテナ１Ｂに接続されたRF部２Ｂと、RF部２Ｂに接続されたMixer部３Ｂと、Mixer部３Ｂに接続されたVco部６Ｂと、Vco部６Ｂに接続されたPLL部７Ｂと
、Mixer部３Ｂに接続されたIF部４Ｂと、IF部４Ｂに接続された検波部５Ｂとを備えてい
る。
【００２９】
アンテナ１Ａとアンテナ１Ｂ、RF部２ＡとRF部２Ｂ、Mixer部３ＡとMixer部３Ｂ、IF部４ＡとIF部４Ｂ、検波部５Ａと検波部５Ｂ、Vco部６ＡとVco部６Ｂ、および、PLL部７Ａ
とPLL部７Ｂは、それぞれ同一の構成及び機能を有している。或る電波（例えば、ＡＭ／
ＦＭラジオ、地上波テレビジョンの放送電波）がアンテナ１Ａ及び１Ｂのそれぞれで受信されたとき、各チューナ１０１及び１０２は、対応するアンテナ入力（受信信号）に対する処理を並列に実行するように構成されている。
【００３０】
以下、チューナ１０１を例として、チューナ１０１及び１０２の構成要素について説明する。RF部２Ａ（２Ｂ）は、アンテナ１Ａ（１Ｂ）で受信された電波に対応する受信信号を受け取る。RF部２Ａ（２Ｂ）は、入力された受信信号の同調を行い、同調が行われた信号を、Mixer部３Ａ（３Ｂ）に入力する。Vco部６Ａ（６Ｂ）およびPLL部７Ａ（７Ｂ）は
、局部発信信号を生成し、Mixer部３Ａ（３Ｂ）に入力する。Mixer部３Ａ（３Ｂ）は、RF部２Ａ（２Ｂ）からの信号を、Vco部６Ａ（６Ｂ）からの局部発信信号を用いて、これら
の信号の周波数の差を持つ中間周波数の信号を生成し、IF部４Ａ（４Ｂ）に入力する。IF部４Ａ（４Ｂ）は、入力された中間周波数信号を増幅し、検波部５Ａ（５Ｂ）に入力する。検波部５Ａ（５Ｂ）は、入力された中間周波数信号の検波（復調）を行い、検波信号（オーディオ信号）を出力する。検波信号は、必要な処理を経て、最終的にスピーカ等の出力装置に接続され、出力装置から出力される。
【００３１】
また、Vco部６Ａ（６Ｂ）は、電圧制御発信器（Voltage Controlled Oscillator）であり、入力電圧によって局部発信信号を発信する装置である。PLL部７Ａ（７Ｂ）は、フェ
イズ・ロック・ループ（Phase Lock Loop)回路であり、局部発信信号の周波数がずれないよう制御する回路である。
【００３２】
検波部５Ａおよび５Ｂから出力される信号は、受信機１００に接続する装置（図示せず）にて選択合成され、品質の良い１つの信号に変換される。
【００３３】
〈異常診断モジュール〉
異常診断モジュール１０３は、各チューナ１０１及び１０２における受信信号に対する処理の過程で生成される信号の品質を示す品質情報を収集し、品質の比較結果に基づいてチューナ１０１及び１０２に異常が生じているか否かを判定する。
【００３４】
異常診断モジュール１０３は、信号品質の測定部として、IF部４Ａ，４Ｂにそれぞれ接続された測定部８Ａ，８Ｂと、検波部５Ａ，５Ｂにそれぞれ接続された測定部９Ａ，９Ｂとを備える。
【００３５】
また、異常診断モジュール１０３は、測定された信号品質の比較部として、測定部８Ａ，９Ａ，８Ｂ，および９Ｂに接続された比較器１４（取得手段、比較手段）を備えている。
【００３６】
さらに、異常診断モジュール１０３は、比較部によって比較された信号品質からチューナの故障を判定する判定部（判定手段）として、比較器１４に接続されたマイコン１５（制御手段）、および、マイコン１５に接続されたメモリ１６（記憶手段）を備える。
【００３７】
測定部８Ａはシグナルメータ１０Ａおよび周波数カウンタ１１Ａを備えている。測定部９Ａはシグナルメータ１２Ａおよび周波数カウンタ１３Ａを備えている。測定部８Ｂはシグナルメータ１０Ｂおよび周波数カウンタ１１Ｂを備えている。測定部９Ｂはシグナルメータ１２Ｂおよび周波数カウンタ１３Ｂを備えている。
【００３８】
測定部８Ａと８Ｂとは、同一の構成を有している。測定部８Ａ（８Ｂ）は、シグナルメータ１０Ａ（１０Ｂ）を用いてIF部４Ａ（４Ｂ）から入力される中間周波数信号の強度（電圧レベル）を測定する。また、測定部８Ａ（８Ｂ）は、周波数カウンタ１１Ａ（１１Ｂ）を用いてIF部４Ａ（４Ｂ）から入力される中間周波数信号の周波数を測定する。測定部８Ａ（８Ｂ）は、シグナルメータ１０Ａ(１０Ｂ)および周波数カウンタ１１Ａ（１１Ｂ）による測定結果を比較器１４に入力する。
【００３９】
測定部９Ａと９Ｂとは、同一の構成を有している。測定部９Ａ（９Ｂ）は、シグナルメータ１２Ａ（１２Ｂ）を用いて検波部５Ａ（５Ｂ）から入力される検波信号の強度（電圧レベル）を測定する。また、測定部９Ａ（９Ｂ）は、周波数カウンタ１３Ａ（１３Ｂ）を用いて検波部５Ａ（５Ｂ）から入力される検波信号の周波数を測定する。測定部９Ａ（９Ｂ）は、シグナルメータ１２Ａ(１２Ｂ)および周波数カウンタ１３Ａ（１３Ｂ）による測定結果を比較器１４に入力する。
【００４０】
以上のようにして、比較器１４には、以下の８つの測定結果（品質情報）が入力される。
【００４１】
（ａ）IF部４Ａからの中間周波数信号の強度の値ＶA（１）、
（ｂ）IF部４Ａからの中間周波数信号の周波数の値ＶA（２）、
（ｃ）検波部５Ａからの検波信号の強度の値ＶA（３）、
（ｄ）検波部５Ａからの検波信号の周波数の値ＶA（４）、
（ｅ）IF部４Ｂからの中間周波数信号の強度の値ＶB（１）、
（ｆ）IF部４Ｂからの中間周波数信号の周波数の値ＶB（２）、
（ｇ）検波部５Ｂからの検波信号の強度の値ＶB（３）、
（ｈ）検波部５Ｂからの検波信号の周波数の値ＶB（４）。
【００４２】
以下、上記（ａ）〜（ｈ）の値をまとめて示す場合には、「品質値」という表記を用いる。
【００４３】
比較器１４は、ＶA（１）とＶB（１）との差分値Ｖ（１）（＝ＶA（１）−ＶB（１））、ＶA（２）とＶB（２）との差分値Ｖ（２）（＝ＶA（２）−ＶB（２））、ＶA（３）と
ＶB（３）との差分値Ｖ（３）（＝ＶA（３）−ＶB（３））、及びＶA（４）とＶB（４）
との差分値Ｖ（４）（＝ＶA（４）−ＶB（４））をそれぞれ算出し、マイコン１５に入力する。
【００４４】
次に、マイコン１５は、入力された各差分値が所定の許容範囲を超えているか否かを、メモリ１６が備える所定の許容範囲を示すデータを用いて、判定する。所定の許容範囲を示すデータは、差分を算出する信号の種類毎に、メモリ１６に格納されている。
【００４５】
例えば、Ｖ（１）の所定の許容範囲が−１０〜１０とすると、Ｖ（１）がＶ（１）＜−１０又は１０＜Ｖ（１）のときには、差分値Ｖ（１）が所定の許容範囲を超えているとする。また、Ｖ（１）の所定の許容範囲が−１０〜１０としたとき、−１０＜＝Ｖ（１）＜＝１０のときには、差分値Ｖ（１）が所定の許容範囲を超えていないとする。また、差分値Ｖ（１）の絶対値｜Ｖ（１）｜を使用し、｜Ｖ（１）｜が正の値を持つ所定の許容範囲を超えているか否かで、Ｖ（１）が所定の許容範囲を超えているか否かを判定してもよい。
【００４６】
マイコン１５は、比較器１４からの差分値が所定の許容範囲を超えているとき、チューナに異常が発生していると判定する。このとき、マイコン１５は、差分値の全てが所定の許容範囲を超えている場合に異常と判定するようにしても良く、差分値の任意の少なくとも１つが所定の許容範囲を超えている場合に異常と判定するようにしてもよい。差分値が選択される場合、判定に使用されない差分値を得るためのシグナルメータや周波数カウンタがオフにされるように構成しても良い。
【００４７】
また、マイコン１５は、異常を判定したときに、異常が生じていると認められるチューナを次のようにして特定することができる。本実施形態では、差分値Ｖ（１）〜Ｖ（４）は、正負の値を取り、差分値が正のときにチューナ１０１からの品質値がチューナ１０２からの品質値よりも大きいことを示す。一方、差分値が負のときにチューナ１０２からの品質値がチューナ１０１からの品質値よりも大きいことを示す。即ち、差分値の符号は、チューナの識別情報として機能する。マイコン１５は、異常を判定したときに、差分値の符号を参照し、差分値が正であれば、チューナ１０２に異常が発生していると判定し、差分値が負であれば、チューナ１０１に異常が発生していると判断することができる。このようにして、マイコン１５は、異常が生じたチューナを特定することができる。
【００４８】
さらに、マイコン１５は、差分値判定結果の組み合わせによって、チューナにおける異常発生箇所の特定を行うことができる。即ち、中間周波数信号（第１の信号）の品質情報に基づく判定において異常と判定される場合、チューナにおける異常発生箇所は、IF部４Ａ以前の部位であると特定することができる。一方、中間周波数信号に係る判定結果は許容範囲を超えていないが、検波信号（第２の信号）の品質情報に基づく判定において許容範囲を超えている場合には、チューナにおける異常発生箇所は、検波部５Ａであると特定することができる。マイコン１５は、このような特定結果を、メモリ１６に格納する。このような特定結果は、チューナの異常発生箇所の特定に利用することができる。
【００４９】
マイコン１５は、チューナに異常が発生していると判断する場合には、チューナの再起動処理を行う。即ち、マイコン１５は、各チューナ１０１，１０２を構成する構成要素の供給電力を入れ直し、動作を再開するための所定の設定データを各構成要素に入力する処理を実行する。このとき、マイコン１５は、チューナ１０１及び１０２の双方に対する再起動処理を実行しても良く、異常と判定されたチューナのみに対する再起動処理を実行してもよい。
【００５０】
メモリ１６は、マイコン１５を動作させるプログラムが備えられている。メモリ１６は、チューナが故障したと判定された際に、異常の原因解析に使用するためのデータを格納する。メモリ１６は、電源が切られても、データが格納される形式のメモリであることが好ましい。
【００５１】
〈マイコンの動作例〉
図２は、マイコン１５が実行する異常（故障）診断の処理を示すフローチャートである。このフローチャートは、比較器１４からマイコン１５に入力される値に対するマイコン１５の処理動作を示す。以下の処理は、メモリ１６に備えられているプログラムをマイコン１５が実行することにより行われる。この異常（故障）診断の処理は、例えば、受信機の電源が入れられた直後に、所定時間行われる。
【００５２】
まず、マイコン１５は、マイコン１５に対して所定の時間内にＶ（１）〜Ｖ（４）の入力があるか否かを判定する（Ｓ１）。ステップＳ１の処理にて、マイコン１５は、マイコン１５に対して所定の時間内にＶ（１）〜Ｖ（４）の入力があると判定する（Ｓ１；ＹＥＳ）と、ステップＳ２の処理に進む。ステップＳ１の処理にて、マイコン１５は、マイコン１５に対して所定の時間内にＶ（１）〜Ｖ（４）の入力がないと判定する（Ｓ１；ＮＯ）と、ステップＳ７の処理に進む。
【００５３】
ステップＳ２の処理にて、マイコン１５は、Ｖ（１）が所定の範囲内か否かを判定する（Ｓ２）。ステップＳ２の処理にて、マイコン１５は、Ｖ（１）が所定の範囲内であると判定する（Ｓ２；ＹＥＳ）と、ステップＳ３の処理に進む。ステップＳ２の処理にて、マイコン１５は、Ｖ（１）が所定の範囲外であると判定する（Ｓ２；ＮＯ）と、ステップＳ７の処理に進む。
【００５４】
ステップＳ３の処理にて、マイコン１５は、Ｖ（２）が所定の範囲内か否かを判定する（Ｓ３）。ステップＳ３の処理にて、マイコン１５は、Ｖ（２）が所定の範囲内であると判定する（Ｓ３；ＹＥＳ）と、ステップＳ４の処理に進む。ステップＳ３の処理にて、マイコン１５は、Ｖ（２）が所定の範囲外であると判定する（Ｓ３；ＮＯ）と、ステップＳ７の処理に進む。
【００５５】
ステップＳ４の処理にて、マイコン１５は、Ｖ（３）が所定の範囲内か否かを判定する（Ｓ４）。ステップＳ４の処理にて、マイコン１５は、Ｖ（３）が所定の範囲内であると判定する（Ｓ４；ＹＥＳ）と、ステップＳ５の処理に進む。ステップＳ４の処理にて、マイコン１５は、Ｖ（３）が所定の範囲外であると判定する（Ｓ４；ＮＯ）と、ステップＳ７の処理に進む。
【００５６】
ステップＳ５の処理にて、マイコン１５は、Ｖ（４）が所定の範囲内か否かを判定する（Ｓ５）。ステップＳ５の処理にて、マイコン１５は、Ｖ（４）が所定の範囲内であると判定する（Ｓ５；ＹＥＳ）と、ステップＳ６の処理に進む。ステップＳ５の処理にて、マイコン１５は、Ｖ（４）が所定の範囲外であると判定する（Ｓ５；ＮＯ）と、ステップＳ７の処理に進む。
【００５７】
ステップＳ６の処理にて、マイコン１５はチューナは正常に動作していると判定する。マイコン１５は、チューナが異常を起こしたとき（故障したとき）のために、ＶA（１）
〜ＶA（４），ＶB（１）〜ＶB（４），Ｖ（１）〜Ｖ（４）の値をメモリ１６に、所定の
時間、格納する。また、マイコン１５は、アンテナ１Ａおよびアンテナ１Ｂによって受信された信号の強度、信号の周波数を測定部８Ａおよび測定部９Ａを通じて受け取り、また、ＦＭ／ＡＭモード等を受信機１００が接続する装置（図示せず）から受け取り、メモリ
１６に、所定の時間、格納してもよい。ステップＳ６の処理の後、マイコン１５は、ステップＳ８の処理に進む。
【００５８】
ステップＳ８の処理にて、マイコン１５は、異常（故障）診断を続けるか否かを判定する（Ｓ８）。この判定は、例えば、マイコン１５がタイマを備え、そのタイマを使用し、予め設定された時間が終了したか否かで異常（故障）診断を続けるか否かを判定してもよい。また、例えば、マイコン１５がカウンタを備え、そのカウンタを使用し、予め設定された測定回数が終了したか否かで異常（故障）診断を続けるか否かを判定してもよい。マイコン１５は、時計を備え、所定の時刻を過ぎたか否かで異常（故障）診断を続けるか否かを判定してもよい。ステップＳ８の処理にて、マイコン１５は、異常（故障）診断を続けると判定する（Ｓ８；ＹＥＳ）と、ステップＳ１の処理に進む。また、ステップＳ８の処理にて、マイコン１５は、異常（故障）診断を続けないと判定する（Ｓ８；ＮＯ）と、マイコン１５が実行する異常（故障）診断の処理を終了する。
【００５９】
ステップＳ７の処理にて、マイコン１５は、チューナが故障していると判定する。マイコン１５は、故障原因の解析に利用するため、ＶA（１）〜ＶA（４），ＶB（１）〜ＶB（４），Ｖ（１）〜Ｖ（４）の値をメモリ１６に、所定の時間、格納する。また、マイコン１５は、アンテナ１Ａおよびアンテナ１Ｂによって受信された信号の強度、信号の周波数を測定部８Ａおよび測定部９Ａを通じて受け取り、また、ＦＭ／ＡＭモード等を受信機１００が接続する装置（図示せず）から受け取り、メモリ１６に、所定の時間、格納してもよい。
【００６０】
次に、マイコン１５は、チューナをリセット（再起動）するために、次の（ａ）または（ｂ）の処理を実行する。
【００６１】
（ａ）異常（故障）との判断に用いた差分値が正の値を持つ（Ｖ（１），Ｖ（２），Ｖ（３）又はＶ（４）＞０）とき、マイコン１５は、チューナ１０２に対する再起動処理を行う。即ち、マイコン１５は、アンテナ１Ｂ、RF部２Ｂ、Mixer部３Ｂ、IF部４Ｂ、検波
部５Ｂ、Vco部６Ｂ、および、PLL部７Ｂの各構成要素の電圧を一度０Ｖにし（または、各構成要素に対する供給電力を切り）、それから、それら各構成要素に供給電力を入れ、所定の設定データを入力する。所定の設定データが入力された後、マイコン１５は、アンテナ１Ａ、RF部２Ａ、Mixer部３Ａ、IF部４Ａ、検波部５Ａ、Vco部６Ａ、および、PLL部７
Ａの各構成要素の電圧を一度０Ｖにし（または、各構成要素に対する供給電力を切り）、それから、それら各構成要素に供給電力を入れ、所定の設定データを入力する。マイコン１５は、所定の設定データが入力された後、異常（故障）診断の処理を終了する。
【００６２】
（ｂ）異常（故障）との判断に用いた差分値が負の値を持つ（Ｖ（１），Ｖ（２），Ｖ（３）又はＶ（４）＜０）とき、マイコン１５は、チューナ１０１に対する再起動処理を行う。即ち、マイコン１５は、アンテナ１Ａ、RF部２Ａ、Mixer部３Ａ、IF部４Ａ、検波
部５Ａ、Vco部６Ａ、および、PLL部７Ａの各構成要素の電圧を一度０Ｖにし（または、各構成要素に対する供給電力を切り）、それから、それら各構成要素に供給電力を入れ、所定の設定データを入力する。所定の設定データが入力された後、マイコン１５は、アンテナ１Ｂ、RF部２Ｂ、Mixer部３Ｂ、IF部４Ｂ、検波部５Ｂ、Vco部６Ｂ、および、PLL部７
Ｂの各構成要素の電圧を一度０Ｖにし（または、各構成要素に対する供給電力を切り）、それから、それら各構成要素に供給電力を入れ、所定の設定データを入力する。マイコン１５は、所定の設定データが入力された後、異常（故障）診断の処理を終了する。
【００６３】
また、マイコン１５は、再起動処理の際、Ｖ（１）〜Ｖ（４）の値に関らず、チューナ１０１及びチューナ１０２を構成する各構成要素の電圧を同じタイミングで一度０Ｖにし（または、各構成要素に対する供給電力を切り）、それから、それら各構成要素に供給電
力を入れ、所定の設定データを入力してもよい。マイコン１５は、所定の設定データが入力された後、異常（故障）診断の処理を終了する。
【００６４】
〈作用効果〉
本実施形態によると、マイコン１５は、差分値Ｖ（１）〜Ｖ（４）から、チューナ１０１又はチューナ１０２が異常（故障）であるか否かを判定できる。すなわち、IF部４ＡとIF部４Ｂ、検波部５Ａと検波部５Ｂのような、２つのチューナの所定の構成要素から、処理過程の信号をそれぞれ得、それらの信号を比較することにより、チューナの異常（故障）を判定できる。
【００６５】
マイコン１５は、IF部４ＡおよびIF部４Ｂから、信号の品質情報として得られる中間周波数信号の強度をチューナの異常診断に利用することができる。マイコン１５は、IF部４ＡおよびIF部４Ｂから、信号の品質情報として得られる中間周波数信号の周波数をチューナの異常診断に利用することができる。
【００６６】
マイコン１５は、検波部５Ａおよび検波部５Ｂから、信号の品質情報として得られる検波信号の強度をチューナの異常診断に利用することができる。マイコン１５は、検波部５Ａおよび検波部５Ｂから、信号の品質情報として得られる検波信号の周波数をチューナの異常診断に利用することができる。
【００６７】
言い換えると、放送電波の受信状況が良好でないと思われる場合の要因として、電波環境の不良と、チューナの異常とが考えられる。本実施形態では、異常判断モジュール１０３が、各チューナ１０１及び１０２からの処理過程で生成される信号から得られる受信信号の品質情報の比較を行い、品質の差分が許容範囲を超えるか否かを判定する。このとき、電波環境が不良であれば、双方の品質情報は共に不良となり、その差分は許容範囲を超えない。これに対し、一方のチューナが異常であれば、そのチューナからの品質情報で示される品質は、正常なチューナからの品質よりも悪くなる。このとき、両チューナからの品質情報に許容範囲を超えた差分が生じる。異常判断モジュール１０３は、この許容範囲を超えた差分を検出することによって、チューナの異常を検出することができる。そして、チューナの再起動処理を実行することにより、チューナの異常を要因とする受信状況不良の解消を図ることができる。
【００６８】
また、異常判断モジュール１０３は、差分値の符号（チューナの識別情報）によって、異常が生じたチューナを特定することができる。これにより、異常が生じたチューナのみを対象とする再起動処理を実行することができる。また、差分値は、メモリ１６に格納されるようになっており、メモリ１６に格納された差分値を参照することで、異常が生じたチューナを特定することができる。
【００６９】
上記で述べたようにして、チューナが異常を起こした（故障した）場合、チューナの異常（故障）前後の所定時間のＶA（１）〜ＶA（４），ＶB（１）〜ＶB（４），Ｖ（１）〜Ｖ（４）がメモリ１６に格納される。また、この場合、所定時間のアンテナ１Ａおよびアンテナ２Ｂからの受信信号の強度、受信信号の周波数、および、ＦＭ／ＡＭのモード等がメモリ１６に格納されるよう構成されてもよい。
【００７０】
したがって、チューナが異常を起こした場合、メモリ１６に格納されたＶA（１）〜ＶA（４），ＶB（１）〜ＶB（４），Ｖ（１）〜Ｖ（４）を解析することにより、チューナの異常の原因解析に利用できる。また、この場合、受信信号の強度、周波数、ＦＭ／ＡＭのモード等をメモリ１６が格納するよう構成することによって、これらの量がメモリ１６に格納され、これらの量をチューナの異常の原因解析に利用することができる。
【００７１】
《第２実施形態》
図３は、本発明の第２実施形態の受信機のブロック図である。第１実施形態の受信機では、図１に示すように、比較器１４、マイコン１５、および、メモリ１６が備えられていたが、図３に示す第２実施形態の受信機では、これらの構成要素の代わりに、マイコン１７およびメモリ１８が備えられている。この実施形態を説明するにあたり、図１を用いて説明を行った部分に関しては、図３中に図１と同符号を付すことにより説明を省略する。
【００７２】
第２実施形態では、第１実施形態と異なり、測定部８Ａ，８Ｂ，９Ａ，および，９Ｂによる測定結果がマイコン１７に入力される。測定部８Ａ，８Ｂ，９Ａ，および，９Ｂにより、マイコン１７には、第１実施形態と同様の８つの測定結果が入力される。
【００７３】
マイコン１７は、これらの入力された値の差分値（Ｖ（１）〜Ｖ（４））を算出し、これらの差分が所定の許容範囲を超えるか否かを判定する。マイコン１７は、差分を取った値が所定の許容範囲を超えるときは、チューナが異常（故障）であると判定し、チューナを構成する各構成要素の供給電力を入れ直し、所定の設定データを各構成要素に送る。
【００７４】
メモリ１８として、メモリ１６と同様の構成を持つものを適用することができる。
【００７５】
〈マイコンの動作例〉
図４は、マイコン１７が実行する異常（故障）診断の処理を示すフローチャートである。このフローチャートは、測定部８Ａ，９Ａ，８Ｂ，および，９Ｂからマイコン１７に入力される値に対するマイコン１７の処理動作を示す。以下の説明において、図２に示した第１実施形態に係るマイコン１５の処理と同様の処理を行うマイコン１７の処理については図４中に図２と同符号を付すことにより説明を省略する。
【００７６】
マイコン１７は、マイコン１７に対して所定の時間内にＶA（１）〜ＶA（４）およびＶB（１）〜ＶB（４）の入力があるか否かを判定する（Ｓ９）。ステップＳ９の処理にて、マイコン１７は、マイコン１７に対して所定の時間内にＶA（１）〜ＶA（４）およびＶB
（１）〜ＶB（４）の入力があると判定する（Ｓ９；ＹＥＳ）と、ステップＳ１０の処理
に進む。ステップＳ９の処理にて、マイコン１７は、マイコン１７に対して所定の時間内にＶA（１）〜ＶA（４）およびＶB（１）〜ＶB（４）の入力がないと判定する（Ｓ９；ＮＯ）と、ステップＳ７の処理に進む。
【００７７】
ステップＳ１０の処理にて、マイコン１７は、入力された品質情報を用いて、差分値Ｖ（１）〜Ｖ（４）を求める。以降のステップは、図２に示した処理と同様の処理であるので、説明を省略する。
【００７８】
〈作用効果〉
第２実施形態によれば、第１実施形態と同様の作用効果を得ることができる。
《第３実施形態》
次に、本発明の第３実施形態について説明する。第３実施形態は、第１実施形態の変形例に係るものである。
【００７９】
図５は、本発明の第３実施形態の受信機のブロック図である。第１実施形態の受信機では、図１に示すように、アンテナ１Ａ、および、アンテナ１Ｂが備えられていたが、図５に示す第３実施形態の受信機では、これらの構成の代わりに、アンテナ１９と、アンテナ１９、RF部２ＡおよびRF部２Ｂに接続された分配器２０とが備えられている。これにより、アンテナ１９での受信信号は、分配器２０を介して各チューナ１０１及び１０２のRF部２Ａ，２Ｂに入力される。以上の構成を除き、第３実施形態の構成、作用効果は、第１実施形態と同様であるので、説明を省略する。
【００８０】
第３実施形態に示すように、本発明は、第１実施形態に示すように、複数のチューナが異なるアンテナで受信された同一の電波に係る受信信号に対する処理を行う形態に適用できるとともに、第３実施形態で示すような、複数のチューナが同一のアンテナでの受信信号に対する処理を行う形態にも適用が可能である。
【００８１】
《第４実施形態》
次に、本発明の第４実施形態について説明する。第４実施形態は、第１実施形態の変形例に係るものである。図６は、本発明の第４実施形態の受信機のブロック図である。第１実施形態の受信機では、図１に示すように、アンテナ１Ａ、および、アンテナ１Ｂが備えられていたが、図６に示す第４実施形態の受信機では、これらの構成要素の代わりに、アンテナ２１Ａと、アンテナ２１Ａと接続された分配器２２Ａと、アンテナ２１Ｂと、アンテナ２１Ｂと接続された分配器２２Ｂと、スイッチ２３と、スイッチ２３の接点２３ａと、スイッチ２３の接点２３ｂと、スイッチ２４と、スイッチ２４の接点２４ａと、スイッチ２４の接点２４ｂとが備えられている。
【００８２】
スイッチ２３およびスイッチ２４の切り替えにより、分配器２２ＡとRF部２ＡおよびRF部２Ｂとの接続関係、および、分配器２２ＢとRF部２ＡおよびRF部２Ｂとの接続関係は次の４通りになる。
【００８３】
第１に、スイッチ２３が接点２３ａに接続され、スイッチ２４が接点２４ａに接続されている場合、アンテナ２１Ａで受信された信号はRF部２Ａに入力され、アンテナ２１Ｂで受信された信号はRF部２Ｂに入力される。
【００８４】
第２に、スイッチ２３が接点２３ａに接続され、スイッチ２４が接点２４ｂに接続されている場合、アンテナ２１Ａで受信された信号はRF部２ＡおよびRF部２Ｂに入力される。また、この場合、アンテナ２１Ｂで受信された信号は入力信号として使用されない。
【００８５】
第３に、スイッチ２３が接点２３ｂに接続され、スイッチ２４が接点２４ａに接続されている場合、アンテナ２１Ｂで受信された信号はRF部２ＡおよびRF部２Ｂに入力される。また、この場合、アンテナ２１Ａで受信された信号は入力信号として使用されない。
【００８６】
第４に、スイッチ２３が接点２３ｂに接続され、スイッチ２４が接点２４ｂに接続されている場合、アンテナ２１Ａで受信された信号はRF部２Ｂに入力され、アンテナ２１Ｂで受信された信号はRF部２Ａに入力される。
【００８７】
以上のようにして、スイッチ２３およびスイッチ２４の切り替えにより、RF部２ＡおよびRF部２Ｂは、アンテナ２１Ａおよびアンテナ２１Ｂから、様々な組み合わせで電波の入力を受けることができる。
【００８８】
通常時は、各スイッチ２３，２４は、接点２３ａ及び２４ａをそれぞれ選択する。この場合、アンテナ２１Ａの受信信号に対する処理がチューナ１０１で行われ、アンテナ２１Ｂの受信信号に対する処理がチューナ１０２で行われる。そして、各チューナ１０１及び１０２から出力される検波信号のうち、品質の良いものが選択される。これによって、ダイバーシティ効果を得ることができる。
【００８９】
これに対し、異常診断時では、各スイッチ２３，２４は、例えば、接点２３ａ及び２４ｂをそれぞれ選択する。この場合、アンテナ２１Ａの受信信号に対する処理が、各チューナ１０１及び１０２で実行される。このとき、異常診断モジュール１０３は、第１実施形態で説明したような異常検出処理を実行する。また、各スイッチ２３，２４は、例えば、
接点２３ｂ及び２４ａをそれぞれ選択する。この場合、アンテナ２１Ｂの受信信号に対する処理が、各チューナ１０１及び１０２で実行される。このとき、異常診断モジュール１０３は、第１実施形態で説明したような異常検出処理を実行する。このようにして、異常診断時には、チューナ１０１及び１０２が１つのアンテナで受信される受信信号に対する処理を並列して行うようにスイッチの切替動作が行われ、異常診断モジュール１０３による異常診断が行われる。
【００９０】
したがって、受信機１００は、或るスイッチの状態によって、アンテナ２１Ａおよびアンテナ２１Ｂのそれぞれで受信された受信信号がチューナ１０１及び１０２のそれぞれに入力される第１の状態と、更に、スイッチを切替え、アンテナ２１Ａ又は２１Ｂのどちらかのアンテナで受信された受信信号がチューナ１０１及び１０２の両方に入力される第２の状態との間を、スイッチの切替を介すことにより、ダイバーシティ構成を持つ受信機について、異常診断を行うことができる。
【００９１】
＜変形例１＞
実施形態４において、スイッチ２３，２４の切替を利用することにより、受信機１００は、以下に例示するような、チューナ１０１及び１０２における異常な動作を示す構成要素の特定を行える。まず、スイッチの切替の組み合わせが第１の場合に、RF部２Ａが受信する信号がRF部２Ｂが受信する信号と比べられ、RF部２Ａが受信する信号を処理する構成要素のうちのどれかが異常を起こしているとマイコン１５により判定された場合、マイコン１５はスイッチの切替の組み合わせを第４の場合にする。そのとき、マイコン１５は、チューナの異常（故障）診断の判定結果として、次の２通りを示す。
【００９２】
第１に、RF部２Ｂが受信する信号を処理するチューナの構成要素のうちのどれかが異常であるとマイコン１５によって判定された場合、RF部２Ａ、Mixer部３Ａ、IF部４Ａ、検
波部５Ａ、Vco部６Ａ、および、PLL部７Ａのうちのどれかが異常であると判断される。
【００９３】
第２に、RF部２Ａが受信する信号を処理するチューナの構成要素のうちのどれかが異常であるとマイコン１５によって判定された場合、アンテナ２１Ａまたは分配器２２Ａが異常であると判断される。
【００９４】
このようにして、スイッチ２３，及び２４を切替えることにより、アンテナ２１Ａ、分配器２２Ａ、アンテナ２１Ｂ、および、分配器２２Ｂのうちのどの構成要素が異常であるのか、もしくは、それ以外の構成要素が異常であるかの判断をすることができる。
【００９５】
＜変形例２＞
図６に示す本発明の第４実施形態において、例えば、Mixer部３ＡとIF部４Ａの間、お
よび、Mixer部３ＢとIF部４Ｂの間に、スイッチ２３およびスイッチ２４のようなスイッ
チを設置した場合、スイッチを切替えることにより、IF部４Ａ、検波部５Ａ、IF部４Ｂ、および、検波部５Ｂのうちのどれかが異常であるのか、もしくは、それ以外の構成要素が異常であるのかを判断することができる。
【００９６】
このようにして、チューナ１０１およびチューナ１０２の間の所定の構成要素の間にスイッチを設け、設けたスイッチを切替えることにより、それぞれのチューナによって受信された信号をそれぞれのチューナが備える所定の構成要素の間で交換し、交換後のマイコン１５による判定結果を交換前のマイコン１５による判定結果と比較することにより、チューナが備える構成要素のうちのどの構成要素が異常である（故障している）のかを細かく調べることができる。
【００９７】
＜変形例３＞
第１実施形態では、受信機が、IF部４Ａからの信号、IF部４Ｂからの信号、検波部５Ａからの信号、および、検波部５Ｂからの信号をそれぞれ測定し、その測定結果に基づいて、マイコン１５が異常（故障）診断を実施した。
【００９８】
RF部２ＡおよびRF部２Ｂは、受信信号の制御のため、自動利得制御を行ってもよい。RF部２ＡおよびRF部２Ｂは、その際、この自動利得制御のためにAGC（Automatic Gain Control）電圧を使用する。
【００９９】
この変形例では、IF部４Ａからの信号、IF部４Ｂからの信号、検波部５Ａからの信号、および、検波部５Ｂからの信号をチューナの異常（故障）診断に利用する代わりに、マイコン１５は、RF部２ＡおよびRF部２Ｂが使用するAGC電圧を比較し、これらの電圧の差分
が所定の範囲外のとき、アンテナ１、RF部２Ａ、アンテナ１Ｂ、および、RF部２Ｂのうちの一つが故障したと判定する。
【０１００】
以上のようにして、受信機は、アンテナ１Ａ、RF部２Ａ、アンテナ１Ｂ、および、RF部２Ｂに対する異常（故障）診断を実施できる。また、該所定の範囲を示す所定値は、アンテナ１Ａまたはアンテナ１Ｂ、または、アンテナ１Ａおよびアンテナ１Ｂからの受信信号の強度、または、受信信号の周波数、または、受信信号の強度および受信信号の周波数に依存してもよい。
【０１０１】
＜変形例４＞
本発明の実施形態では、アンテナ１Ａ、RF部２Ａ、Mixer部３Ａ、IF部４Ａ、検波部５
Ａ、Vco部６Ａ、および、PLL部７Ａが１つのチューナを、アンテナ１Ｂ、RF部２Ｂ、Mixer部３Ｂ、IF部４Ｂ、検波部５Ｂ、Vco部６Ｂ、および、PLL部７Ｂがもう１つのチューナ
を構成していた。すなわち、本発明の実施形態では、２つのチューナを備える受信機が扱われた。しかし、本発明の受信機は、２つのチューナを持つことに限定されず、２以上のチューナを備えていても、チューナの所定の構成要素から、それぞれ信号を得、得られた信号を比較することにより、チューナの異常（故障）診断を実施できる。
【０１０２】
＜変形例５＞
第１実施形態において、マイコン１５は、図２に示すステップＳ７の処理にて、アンテナ１Ａ、RF部２Ａ、Mixer部３Ａ、IF部４Ａ、検波部５Ａ、Vco部６Ａ、および、PLL部７
Ａからなるチューナと、アンテナ１Ｂ、RF部２Ｂ、Mixer部３Ｂ、IF部４Ｂ、検波部５Ｂ
、Vco部６Ｂ、および、PLL部７Ｂとからなるチューナとを交互に、チューナを構成する各構成要素の電圧を一度０Ｖにし（または、各構成要素に対する供給電力を切り）、それから、各構成要素に供給電力を入れ、所定の設定データを入力した。この変形例では、ステップＳ７の処理にて、次の（ａ）または（ｂ）の処理を実行する。
【０１０３】
（ａ）異常（故障）との判断に用いた差分値が正の値を持つ（Ｖ（１），Ｖ（２），Ｖ（３）又はＶ（４）＞０）とき、マイコン１５は、アンテナ１Ｂ、RF部２Ｂ、Mixer部３
Ｂ、IF部４Ｂ、検波部５Ｂ、Vco部６Ｂ、および、PLL部７Ｂの各構成要素の電圧を一度０Ｖにし（または、各構成要素に対する供給電力を切り）、それから、それら各構成要素に供給電力を入れ、所定の設定データを入力する。マイコン１５は、所定の設定データが入力された後、異常（故障）診断の処理を終了する。
【０１０４】
（ｂ）異常（故障）との判断に用いた差分値が負の値を持つ（Ｖ（１），Ｖ（２），Ｖ（３）又はＶ（４）＜０）とき、マイコン１５は、アンテナ１Ａ、RF部２Ａ、Mixer部３
Ａ、IF部４Ａ、検波部５Ａ、Vco部６Ａ、および、PLL部７Ａの各構成要素の電圧を一度０Ｖにし（または、各構成要素に対する供給電力を切り）、それから、それら各構成要素に供給電力を入れ、所定の設定データを入力する。マイコン１５は、所定の設定データが入
力された後、異常（故障）診断の処理を終了する。
【０１０５】
以上の処理を実行することにより、受信機は、故障したと判定されるチューナのみ供給電力を入れ直すことができる。したがって、受信機は、故障したと判定されていない方のチューナの供給電力を入れ直さないので、故障したと判定されていない方の検波部５Ａまたは５Ｂから出力される信号が、供給電力の入れ直しと所定のデータの入力のために、一時期途切れるのを抑えることができる。
【０１０６】
＜変形例６＞
図２又は図４を用いて示した異常（故障）診断の処理は、受信機の電源が入れられた直後に、所定の回数行われてもよい。また、この異常診断の処理は、この受信機が動作している間中、繰り返されてもよい。また、この異常診断の処理は、ある一定時間毎に実行されてもよい。
【０１０７】
＜変形例７＞
第１実施形態について、受信機１００に入力された差分値Ｖ（１）〜Ｖ（４）が、所定の許容範囲を超えたか否かを判定するために使用される所定の値は、アンテナ１Ａまたはアンテナ１Ｂ、または、アンテナ１Ａおよびアンテナ１Ｂからの受信信号強度（アンテナ入力レベル（電界強度））に依存してもよい。
【０１０８】
＜変形例８＞
本実施形態においては、チューナ１０１とチューナ１０２とが同一の構成を持つとした。しかしながら、チューナ１０１とチューナ１０２とが同一の構成を持たない場合にも本発明による実施は可能である。以下に、その二つの例を本発明による実施形態の変形例として述べる。
【０１０９】
第１の例として、まず、チューナ１０１とチューナ１０２とがそれぞれ同一放送を受信し、それぞれ電波環境を推定する。そして、それぞれのチューナが推定した通信品質が所定の品質よりも悪い場合、通信品質が所定の品質よりも悪いと推定したチューナが異常であると判定できる。このようにして、チューナ１０１とチューナ１０２とが同一の構成を持たない場合においても、受信機１００は受信機の異常診断を実施できる。
【０１１０】
第２の例として、チューナ１０１とチューナ１０２とがそれぞれ同一放送を受信する。そして、それぞれのチューナが備える受信感度に基づいて、マイコン１５は、それぞれのチューナが得た通信品質に重み付けを行い、二つの通信品質を比較可能にする。マイコン１５は、二つの重み付けられた通信品質を比較する。マイコン１５は、この品質の比較によって、所定の許容値を超える品質の差分が得られたとき、チューナに異常が生じていると判定できる。このようにして、チューナ１０１とチューナ１０２とが同一の構成を持たない場合においても、受信機１００は受信機の異常診断を実施できる。
【図面の簡単な説明】
【０１１１】
【図１】本発明の第１実施形態の受信機のブロック図である。
【図２】本発明の第１実施形態に係るマイコンの処理を示すフローチャートである。
【図３】本発明の第２実施形態の受信機のブロック図である。
【図４】本発明の第２実施形態に係るマイコンの処理を示すフローチャートである。
【図５】本発明の第３実施形態の受信機のブロック図である。
【図６】本発明の第４実施形態の受信機のブロック図である。
【図７】従来技術におけるチューナのブロック図である。
【符号の説明】
【０１１２】
１Ａ，１Ｂ  アンテナ
２Ａ，２Ｂ  ＲＦ部
３Ａ，３Ｂ  Mixer部
４Ａ，４Ｂ  IF部
５Ａ，５Ｂ  検波部
６Ａ，６Ｂ  Vco部
７Ａ，７Ｂ  PLL部
８Ａ，８Ｂ  測定部
９Ａ，９Ｂ  測定部
１０Ａ，１０Ｂ  シグナルメータ
１１Ａ，１１Ｂ  周波数カウンタ
１２Ａ，１２Ｂ  シグナルメータ
１３Ａ，１３Ｂ  周波数カウンタ
１４  比較器
１５  マイコン
１６  メモリ
１７  マイコン
１８  メモリ
１９  アンテナ
２０  分配器
２１Ａ  アンテナ
２１Ｂ  アンテナ
２２Ａ  分配器
２２Ｂ  分配器
２３  スイッチ
２３ａ  接点
２３ｂ  接点
２４  スイッチ
２４ａ  接点
２４ｂ  接点
２５  アンテナ
２６  RF部
２７  Mixer部
２８  Vco部
２９  PLL部
３０  IF部
３１  検波部
３２  シグナルメータ
３３  マイコン
１００  受信機
１０１  チューナ
１０２  チューナ
１０３  異常診断モジュール
【図１】
0004804151.tif 000002
【図２】
0004804151.tif 000003
【図３】
0004804151.tif 000004
【図４】
0004804151.tif 000005
【図５】
0004804151.tif 000006
【図６】
0004804151.tif 000007
【図７】
0004804151.tif 000008